(57)【要約】【課題】  接続部内において非対称オフセットにより生ずる軸力差を吸収できるようにし、オフセットレイアウトを小さくできるようにすること。【解決手段】  接続部内にケーブルシース２とケーブルコア９とを拘束するケーブルコア／シース拘束装置１０を設ける。ケーブルコア／シース拘束装置１０は、ゴムユニット３の片側もしくは両側のケーブルコア９とケーブルシース２の外周に取り付けられ、ケーブルコアとケーブルシース間の摩擦力を増大させる。これにより、非対称オフセットにより生ずる軸力差を吸収し、オフセットの影響を小さくすることができる。このため、オフセットレイアウトを小さくすることが可能となり、土木工事費を削減することが可能となる。【選択図】          図１
2006304413.tif 000002
【特許請求の範囲】
【請求項１】
ケーブルシースとケーブルコアとを拘束する装置を電力ケーブル接続部外装内部に内蔵させた
ことを特徴とする電力ケーブル接続部。
【発明の詳細な説明】
【技術分野】
【０００１】
本発明は、電力ケーブル接続部に関し、特に非対称オフセット部に使用される電力ケーブル接続部に関するものである。
【背景技術】
【０００２】
図４は、従来の電力ケーブル接続部の組み立て方法を説明する図である。
同図（ａ）に示すように接続すべき２本の電力ケーブル１の端部を段剥ぎし、導体１ａ、絶縁体１ｂ、外部半導電層１ｃ、綿テープ１ｄ、金属被１ｅを露出させる。そして、露出させたケーブル導体を（ｂ）に示すように導体接続管２で接続する。
ついで、（ｃ）に示すように、導体接続管２の周囲にゴムユニット３を組み立て、その上に同図（ｄ）に示すように、遮蔽処理およびテープ巻きし、遮蔽＋テープ巻き層４を形成する。
さらに、（ｅ）に示すように外装（銅管）５およびエポキシ絶縁筒６を組み立て、ついで（ｆ）に示すようにビニルカバー８を取り付け、防食テープ層７を設ける。
図５は、上記のようにして組み立てられたケーブル接続部の断面構造を示す模式図である。同図に示すように導体、内部半導電層、絶縁層、外部半導電層からなるケーブルコア９の上に、ゴムユニット３、遮蔽＋テープ巻き層４が形成され、その一方の側にエポキシ絶縁筒６が取り付けられ、遮蔽＋テープ巻き層４とケーブルシース２（同図では金属シースを示している）上に外装（銅管）５が設けられる。
【０００３】
ところで、上記のように電力ケーブルを接続し、マンホールなどに設置する際、負荷変動や年間の気温差によるケーブル導体の熱膨張に伴う伸び出しを吸収するため、ケーブルをオフセットして配置することが行われる。
例えば、特許文献１の図９などには、ケーブル端末部にたるみが生ずるように歪曲させたオフセット接続し、熱伸縮をマンホール内部で吸収するようにした接続部について記載されている。
また、特許文献２には、プレハブ型接続部において、ヒートサイクル時にケーブルオフセットの挙動に応答して、ケーブル接続箱固定部を支点とするケーブル曲げ応力が働き、ケーブルが径方向に動くことを防止するため、ケーブルクランプによりケーブルの径方向に動きを規制するようにした接続部について記載されている。
【特許文献１】特開２００２−１３５９５７号公報
【特許文献２】特開２００３−１８７３８号公報
【発明の開示】
【発明が解決しようとする課題】
【０００４】
負荷変動や年間の気温差によるケーブル導体の熱膨張に伴う伸び出しによる力（軸力）は、大サイズのケーブルになるほど大きくなる。オフセットがケーブル接続部の左右で均等であれば、軸力は接続部の左右で相殺されるが、オフセット形状が接続部の左右で非対称である場合、接続部の左右では軸力差が生じることになり、非対称オフセット部に使用される接続部では、この軸力差に耐える必要がある。
接続部は、銅管等の外装がそれを支持する金物に固定されるため、非対称オフセットにより軸力差が生じると、ケーブル導体と銅管等の外装の間に剪断応力が生じる。特に、金属被をもつ電力ケーブルでは、ケーブルコア部分（ケーブル導体、内部半導電層、絶縁層と外部半導電層）の摩擦力は大きいが、ケーブルコアとケーブルシース間の摩擦力はそれほど大きくないため、接続部の銅管等の外装とケーブルコア部分に加わる剪断応力はさらに大きくなる。
【０００５】
軸力の大きさは、ケーブルをオフセットするレイアウトにより決まるが、非対称オフセット部分の軸力差を小さくするためには、大きなオフセットをとらなければならず、土木工事費がかさむという問題がある。
本発明は上記問題点を解決するためになされたものであって、その目的は、接続部内において非対称オフセットにより生ずる軸力差を吸収できるようにし、オフセットレイアウトを小さくできるようにすることである。
【課題を解決するための手段】
【０００６】
上記課題を解決するため、本発明においては図１のように電力ケーブル接続部内にケーブルコア／シース拘束装置を内蔵させる。
これにより、接続部においてより大きな軸力差を吸収することが可能となり、オフセットの影響を小さくすることが可能となる。
【発明の効果】
【０００７】
本発明においては、電力ケーブル接続部の外装内部にケーブルコア／シース拘束装置を内蔵させたので、非対称オフセットにより生ずる大きな軸力差を許容することができ、オフセットレイアウトを小さくすることが可能となる。このため、土木工事費を削減することが可能となる。
【発明を実施するための最良の形態】
【０００８】
図１は本発明の実施例のケーブル接続部の構造を示す図である。
同図に示すように、本実施例においては、ゴムユニット３の両側のケーブルコア９とケーブルシース２の外周にケーブルコア／シース拘束装置１０が取りつけられている。なお、上記拘束装置１０は片側のみに取り付けても良い。
図２は上記拘束装置１０の構成例を示す図である。上記拘束装置１０は、例えば同図（ａ）に示すように、一対の帯状の金属板１１を円弧状に曲げてケーブルコア９とケーブルシース２の周囲に取り付け、ボルトとナットなどの固定手段１３で締め付けて固定したものである。
上記金属板１１は、同図（ｂ）に示すように、ケーブルコア９とケーブルシース２上に複数取り取り付けられ、上記複数の金属板１１の間には、同図（ａ）に示すように帯状の連結板１２がはさみつけて固定される。連結板１２の長さは、少なくとも上記金属板１１からなる拘束装置１０のケーブル長手方向の長さと等しく、連結板１２により複数枚の金属板１１は相互に移動しないように連結される。
【０００９】
図３は本実施例のケーブル接続部の組み立て方法を説明する図である。
同図（ａ）に示すように接続すべき２本の電力ケーブル１の端部を段剥ぎし、導体１ａ、絶縁体１ｂ、外部半導電層１ｃ、綿テープ１ｄ、金属被１ｅを露出させる。そして、露出させたケーブル導体を（ｂ）に示すように導体接続管２で接続する。
ついで、（ｃ）に示すように、導体接続管２の周囲にゴムユニット３を組み立て、その上に同図（ｄ）に示すように、遮蔽処理およびテープ巻きし、遮蔽＋テープ巻き層４を形成する。
そして、（ｅ）に示すように、ケーブルコア９およびケーブルシース２上に上記ケーブルコア／シース拘束装置１０を取り付ける。
ついで（ｆ）に示すように外装（銅管）５およびエポキシ絶縁筒６を組み立てる。外装（銅管）５の内側には防食混和物が充填され、外装（銅管）５の端部はケーブルシース２に半田付けなどで固定される。
そして、最後にビニルカバー８を取り付け、防食テープ層７を設ける。これにより、図１に示したケーブル接続部が製作される。
【００１０】
本実施例においては、上記のようにケーブルコア９およびケーブルシース２上に上記ケーブルコア／シース拘束装置１０を取り付け、ケーブルコアとケーブルシース間の摩擦力を増大させたので、ケーブルコアと外装（銅管）５等の間に作用する剪断応力を吸収することができる。このため、非対称オフセットにより生ずる軸力差を吸収し、オフセットの影響を小さくすることができる。
したがって、非対称オフセットの影響をそれほど考慮することなくマンホールなどへの接続部の設置が可能となり、オフセットレイアウトを小さくし土木工事費の削減を図ることができる。
【図面の簡単な説明】
【００１１】
【図１】本発明の実施例の電力ケーブル接続部の構造を示す図である。
【図２】ケーブルコア／シース拘束装置の構成例を示す図である。
【図３】本実施例の電力ケーブル接続部の組み立て方法を示す図である。
【図４】従来の電力ケーブル接続部の組み立て方法を示す図である。
【図５】従来の電力ケーブル接続部の構造を示す図である。
【符号の説明】
【００１２】
１  電力ケーブル
２  ケーブルシース
３  ゴムユニット
４  遮蔽＋テープ巻き層
５  外装（銅管）
６  エポキシ絶縁筒
７  防食テープ層
８  ビニルカバー
９  ケーブルコア
１０ケーブルコア／シース拘束装置
【図１】
2006304413.tif 000003
【図２】
2006304413.tif 000004
【図３】
2006304413.tif 000005
【図４】
2006304413.tif 000006
【図５】
2006304413.tif 000007